(57)【要約】【課題】  かつらベースに取付けることで自毛への負担を減らしつつボリューム感を出し、かつ、髪の流れを容易に作り出すことができるかつら用毛髪を提供することを目的とする。【解決手段】  かつらベース２０に取付けられる幹毛１１と、その幹毛に取付けられる複数本の枝毛１２と、を有し、幹毛に対する枝毛の取付方向が一方向であることを特徴とするかつら用毛髪１０とする。また、枝毛が、幹毛のかつらベースとの取付け位置から３０ｍｍ以内の範囲に取付けられていることにしたり、幹毛及び枝毛が、それぞれ太さの異なる擬毛で形成されていることにしたりするとよい。【選択図】    図１
2015187315.tif 000002
【特許請求の範囲】
【請求項１】
かつらベースに取付けられる幹毛と、該幹毛に取付けられる複数本の枝毛と、を有し、前記幹毛に対する前記枝毛の取付方向が一方向であることを特徴とするかつら用毛髪。
【請求項２】
前記枝毛は、前記幹毛のかつらベースとの取付け位置から３０ｍｍ以内の範囲に取付けられていることを特徴とする請求項１に記載のかつら用毛髪。
【請求項３】
前記幹毛及び前記枝毛が、それぞれ太さの異なる擬毛で形成されていることを特徴とする請求項１又は２に記載のかつら用毛髪。
【請求項４】
テグス状線状部材からなるかつらベースと、該かつらベースに取付けられる幹毛と該幹毛に取付けられる複数本の枝毛とからなるかつら用毛髪と、を有し、前記幹毛に対する前記枝毛の取付け方向が一方向であって、前記枝毛の流れが所望の向きになるように前記幹毛が前記かつらベースに取付けられていることを特徴とするかつら。
【発明の詳細な説明】
【技術分野】
【０００１】
本発明は、かつらベースに取付けて使用するかつら用毛髪及びそのかつら用毛髪を用いるかつらに関する。
【背景技術】
【０００２】
増毛用毛髪には、ボリューム感を出すために、１本の幹毛に複数本の枝毛を備えたものがある。このような増毛用毛髪は、幹毛と枝毛及び幹毛と自毛を接着剤によって取付けたもの（特許文献１参照）や、結着によって取付けたもの（特許文献２参照）がある。図４は、従来の増毛用毛髪を示す図であって、（ａ）は接着剤を使用したもの、（ｂ）は結着したものである。接着剤を使用したもの（特許文献１）の場合は、幹毛の周りに複数本の枝毛の一端を接着剤で接着することで、毛髪の本数を実質的に増加させ、頭髪全体にボリューム感を与える効果が得られるとされ、また、結着したもの（特許文献２）の場合は、増毛の作業効率を向上せしめ、かつ少ない毛量でボリューム感を出すとともに自然な感じを与える効果が得られるとされている。
【０００３】
これらの増毛用毛髪は、自毛に取付けて用いられている。しかし、複数本の枝毛を備えている場合には、自毛への負担が大きくなって自毛が抜けやすくなり、それによって自毛が抜けると増毛用毛髪が自毛と共に失われてしまう。
【０００４】
また、自毛一本毎に増毛用毛髪を取付けるのではなく、毛髪を取付けたかつらベースや線状体を複数の自毛に結着等して装着する増毛具もある（特許文献３参照）。しかし、この増毛具は、かつらベースや線状体に対して直角方向に増毛用毛髪を結着する構成になっているので、つむじや分け目といった髪の流れを作るのは難しい。
【先行技術文献】
【特許文献】
【０００５】
【特許文献１】特開平２−２６４００５号公報
【特許文献２】特開２００１−２９５１２１号公報
【特許文献３】特開２０１３−１２４４２０号公報
【発明の概要】
【発明が解決しようとする課題】
【０００６】
これらの実情に鑑み、本発明では、かつらベースに取付けることで自毛への負担を減らしつつボリューム感を出し、かつ、髪の流れを容易に作り出すことができるかつら用毛髪及びそのようなかつら用毛髪を用いるかつらを提供することを目的とする。
【課題を解決するための手段】
【０００７】
上記の目的を達成するために本発明のかつら用毛髪は、かつらベースに取付けられる幹毛と、その幹毛に取付けられる複数本の枝毛と、を有し、幹毛に対する枝毛の取付方向が一方向であることを特徴とするものである。また、枝毛が、幹毛のかつらベースとの取付け位置から３０ｍｍ以内の範囲に取付けられていることにしたり、幹毛及び枝毛が、それぞれ太さの異なる擬毛で形成されていることにしたりするとよい。
【０００８】
さらに、本発明のかつらは、テグス状線状部材からなるかつらベースと、そのかつらベースに取付けられる幹毛とその幹毛に取付けられる複数本の枝毛とからなるかつら用毛髪と、を有し、幹毛に対する枝毛の取付け方向が一方向であって、枝毛の流れが所望の向きになるように幹毛がかつらベースに取付けられていることを特徴とするものである。
【発明の効果】
【０００９】
本発明のかつら用毛髪及びそのかつら用毛髪を用いるかつらは、かつらベースを介してボリューム感のある毛髪を装着することができ、かつ、つむじや分け目といった髪の流れを容易に作り出すことができるという効果を奏する。
【図面の簡単な説明】
【００１０】
【図１】本発明のかつら用毛髪の説明図である。
【図２】髪の流れを説明する図である。
【図３】つむじを再現する部分かつらの概略図である。
【図４】従来の増毛用毛髪を示す図であって、（ａ）は接着剤を使用したもの、（ｂ）は結着したものである。
【発明を実施するための形態】
【００１１】
以下、本発明の実施の形態を、添付図面を参照して説明する。
【００１２】
図１は、本発明のかつら用毛髪の説明図である。本発明に係るかつら用毛髪１０は、幹毛１１と複数の枝毛１２によって構成することで、ボリューム感を出すものとする。ここで、幹毛１１や枝毛１２の取付方法は、結着によることを基本とするが、接着剤を用いた結着以外の取付方法でもよい。
【００１３】
図１のように、結着により１本の幹毛１１や枝毛１２を結着した場合、毛髪の中間位置付近が結び目になって２本の毛先ができることになるので、より毛髪のボリュームを感じることができる。よって、以降、１本の幹毛１１又は枝毛１２を取付けると記載した場合は、結着により２本の毛髪が増毛されたように見える状態のことをいうものとする。
【００１４】
幹毛１１はかつらベース２０に取付けられ、枝毛１２は幹毛１１に取付けられる。枝毛１２の取付位置の範囲Ｌは、幹毛１１とかつらベース２０との取付位置から幹毛１１に沿って３０ｍｍ以内とし、好ましくは１５ｍｍ以内とするのが良い。これは、あまり幹毛１１の毛先側に枝毛１２を取付けるのは不自然だからであり、また根本に近ければ、結び目が目立たないからである。そして図１では簡略化しているが、実際の枝毛１２は約１〜３ｍｍ間隔で取付けられるため、取付位置の範囲Ｌには、およそ１０〜１５本程度の枝毛１２が設けられることになる。
【００１５】
枝毛１２は、幹毛１１に対して取付方向が一方向となるように取付けられる。ここで、幹毛１１に対する枝毛１２の取付方向が一方向であるというのは、例えば取付け方法が結着の場合は、結び目から枝毛１２が突出する向きが幹毛１１に対してすべての枝毛１２が一方向になるということであり、取付け方法が接着剤によるものの場合は、接着位置付近の幹毛１１と枝毛１２との間の角度がすべて一方向になることと考えればよい。なお、幹毛１１や枝毛１２は柔らかいので、毛先の向きではなく、結び目や接着位置付近での向きということになる。
【００１６】
図２は、髪の流れを説明する図である。幹毛１１に複数本の枝毛１２を備えたかつら用毛髪１０をかつらベース２０に複数箇所結着したものを実施例として示した。ここでは、幹毛１１の向きと枝毛１２の向きが一定の角度で、それぞれが髪の流れを作っている。このようにかつら用毛髪１０を設ければ、髪の流れを作って、分け目などを容易に表現することができる。
【００１７】
図３は、つむじを再現する部分かつらの概略図である。ここでのかつらベース２１は、目立たないように、テグス等の線状部材にするのが適している。また、枠材２１は、かつらベース２０の形状を保持しつつ、かつらベース２０を自毛に固定する際に、頭部の所定の位置にピンなどで仮止めすることに使用される。そして、かつらベース２０を複数の自毛によって固定した後は、枠材２１は取り除かれる。なお、図３は説明のために簡略化した図であるため、かつら用毛髪１０（幹毛１１及び枝毛１２）の設置数を減じて示している。
【００１８】
つむじを再現する場合は、図３のようにかつらベース２０を放射状に設け、それぞれのかつらベース２０に本発明に係るかつら用毛髪１０を取付ける。このとき、かつら用毛髪１０の幹毛１１に対する枝毛１２の取付方向が一方向であることから、幹毛１１は円形状を形成し、その円形状の内側を枝毛１２が渦を巻いて埋めるような構成にすることができるので、つむじを再現することができる。
【００１９】
幹毛１１及び枝毛１２は、主に擬毛によって形成される。そして、擬毛であれば、ある程度太さを自由に選択することができる。例えば、幹毛を枝毛よりも太くすれば、幹毛を強くして、枝毛はボリューム感を出して髪の流れを作るというそれぞれの役割を果たすことができる。また、逆に幹毛を細くして枝毛を太くすれば、幹毛を目立たなくしつつ、太い枝毛によって髪の流れを強調することができる。つまり、幹毛と枝毛の太さを異なる太さにすることで、目的に合わせたかつらを形成することができる。
【００２０】
以上により、本発明のかつら用毛髪及びそのかつら用毛髪を用いるかつらは、かつらベースにかつら用毛髪を取付けることで自毛への負担を減らしつつ、ボリューム感を出すことができ、さらに、つむじや分け目といった髪の流れを容易に作り出すことを可能にする。
【符号の説明】
【００２１】
１０    かつら用毛髪
１１    幹毛
１２    枝毛
２０    かつらベース
２１    枠材
【図１】
2015187315.tif 000003
【図２】
2015187315.tif 000004
【図３】
2015187315.tif 000005
【図４】
2015187315.tif 000006